(57)【要約】【課題】子供と一緒に楽しくトレーニングできる器具を提供する。【解決手段】トレーニング器具１は、利用者が把持する取っ手３と、人間を載置する座板２２を有し、側板２１を介して座板２２の両側部に取り付けられ、取っ手３に取り付けられる器具本体２とを有する。【選択図】図１
2019150215.tif 000002
【特許請求の範囲】
【請求項１】
利用者が把持する取っ手と、
人間を載置する座部を有し、側板を介して前記座部の両側部に取り付けられ、前記取っ手に取り付けられる器具本体と
を有することを特徴とするトレーニング器具。
【発明の詳細な説明】
【技術分野】
【０００１】
本発明はトレーニング器具に関する。
【背景技術】
【０００２】
子供を運ぶために大人が身体に取り付けまたは装着する装置が知られている。例えば、頂部にハーネスが取り付けられ、底部にストラップに取り付けられた梯子が知られている。
【先行技術文献】
【特許文献】
【０００３】
【特許文献１】特表平６−５０３０２０号公報
【発明の概要】
【発明が解決しようとする課題】
【０００４】
子供と一緒に大人がトレーニングできれば、子供も楽しむことができる。
１つの側面では、本発明は、子供と一緒に楽しくトレーニングできる器具を提供することを目的とする。
【課題を解決するための手段】
【０００５】
上記目的を達成するために、開示のトレーニング器具が提供される。このトレーニング器具は、利用者が把持する取っ手と、人間を載置する座部を有し、側板を介して座部の両側部に取り付けられ、前記取っ手に取り付けられる器具本体とを有する。
【発明の効果】
【０００６】
１態様では、子供と一緒に楽しくトレーニングできる。
【図面の簡単な説明】
【０００７】
【図１】実施の形態のトレーニング器具を示す図である。
【図２】実施の形態のトレーニング器具を示す図である。
【図３】実施の形態のトレーニング器具を下半身を鍛える際に用いる例を示している。
【図４】トレーニング器具の変形例を説明する図である。
【発明を実施するための形態】
【０００８】
以下、実施の形態のトレーニング器具を、図面を参照して詳細に説明する。
＜実施の形態＞
図１および図２は、実施の形態のトレーニング器具を示す図である。
実施の形態のトレーニング器具１は、器具本体２と取っ手３とを有している。
器具本体２の構成材料としては、例えば木やプラスチック等が挙げられる。器具本体２は、側板（側部）２１と、座板（座部）２２とを有している。
【０００９】
図２に示すように、側板２１の端部２１ａは、取っ手３に取り付けられている。端部２１ａは、取っ手３を支点として、回動可能に取り付けられていてもよいし、回動不能に取り付けられていてもよい。
【００１０】
回動可能に取り付けられた場合は、取っ手３を回転させた場合でも器具本体２は取っ手３の回転に伴い回転しない。この場合、例えば利用者は取っ手を把持して手首を軽く前後に揺らすことで、ブランコのように器具本体２を揺り動かすことができる。
他方、回動不能に取り付けられた場合は、取っ手３を回転させた場合に器具本体２が取っ手の回転に伴い回転する。
【００１１】
器具本体２には、例えば小さな子供（負荷）を載せることができる。座板２２は、子供が座ったときの座面となる部位である。本実施の形態では、座板２２は背もたれ２２ａを有しており、子供が座ったときにおしりから脚までと背中部分を支持している。また、座板２２は、子供の脚が座板２２内に収納される形状をなしている。
【００１２】
側部２１には、開口部２１ｂが設けられている。この開口部２１ｂは、子供が座ったときに手を通し、側部２１の一部である手すり部２１ｃを掴むことができるようになっている。すなわち、側部２１の一部は、手すりとして機能する。
【００１３】
取っ手３の構成材料としては、例えばステンレス鋼等の金属が挙げられる。取っ手３は、棒状体をなしており、両端部には、利用者が把持しやすいように滑り止め３１、３１が設けられている。取っ手３は中実であってもよいし、中空であってもよい。また、棒状体の一部が湾曲したり、屈曲したりしていてもよい。
【００１４】
このトレーニング器具１を使用する場合には、利用者は、図２に示すように、座板２２に子供を座らせた状態で滑り止め３１、３１を把持して持ち上げる。その後、肘の曲げ伸ばしを行う。これにより、適度な負荷で胸、腕、肩等のトレーニングをすることができる。また、利用者に持ち上げられた子供は楽しい気分になる。これにより、利用者も子供も楽しくトレーニングをすることができる。
【００１５】
また、利用者は、図２に示す手すり部２１ｄを把持して滑り止め３１、３１を脇に抱える様な形でトレーニング器具１を使用することができる。手すり部２１ｄを把持したときに取っ手３が邪魔になるような場合、取っ手３をトレーニング器具１から取り外せるようになっていてもよい。手すり部２１ｄを把持することにより、利用者はトレーニング器具１が自分自身に当接する面積を増やせるため、より安定してトレーニング器具１を把持することができる。疑似ジェットコースターのようにして遊ぶこともできる。
【００１６】
また、子供の脚が座板２２内に収納される形状をなしているため、トレーニング器具１を床に置いたときに子供の脚がトレーニング器具１と床との間に挟まることがない。
【００１７】
また、例えば、ジェットコースターの座席から見える景色をモニタに表示させ、その動きに合わせてトレーニング器具１を動かすことで、トレーニング器具１に座っている子供は、あたかもジェットコースターに乗っている気分を味わうことができ、より楽しむことができる。さらに、例えばトレーニング器具１に加速度センサを取り付けておき、そのセンサが検出した加速度に応じてモニタに表示される画像を変えるようにすることもできる。例えば、トレーニング器具１をゆっくりと持ち上げたときには、ジェットコースターが斜面を登るような画像が表示され、トレーニング器具１をゆっくりと下ろしたときにはジェットコースターが緩やかな斜面を下っていく画像がモニタに表示され、トレーニング器具１を急に下ろしたときにはジェットコースターが急斜面を下っていく画像がモニタに表示されるようにしてもよい。
【００１８】
なお、トレーニング器具１とモニタとの連動手段は前述した加速度センサに限らず、例えばトレーニング器具１の画像を撮像し、その位置の変化によりモニタと連動させるようにしてもよい。
ところで、利用者は、下半身を鍛える際にもトレーニング器具１を用いることができる。
図３は、実施の形態のトレーニング器具を下半身を鍛える際に用いる例を示している。
【００１９】
下半身を鍛える場合には、利用者は椅子に座り、座板２２に足を入れ、座板２２の縁２２ｂを足で支持する。また、利用者は腿に取っ手３を載せる。これにより、下半身に適度な負荷を与えることができる。この状態で、利用者は膝を曲げ伸ばしすることにより、腿等のトレーニングをすることができる。また、腿に載せたときにトレーニング器具１が安定しないときは、取っ手３を掴むことで、トレーニング器具１を安定させることができる。
【００２０】
なお、図３では取っ手３はまっすぐな形状をなしている。しかし、これに限らず、取っ手３の腿が当たる部分に、腿に対応する凹みが設けられていてもよい。また、取っ手３の腿が当たる部分に衝撃を和らげる緩衝材が設けられていてもよい。
【００２１】
また、実施の形態では、縁２２ｂを足で支持する形でトレーニング器具１の安定を図ったが、これに限らず、座板２２に入れた足を座板２２に固定する支持機構が設けられていてもよい。
【００２２】
以上述べたように、実施の形態のトレーニング器具１によれば、利用者が把持する取っ手３と、人間を載置する座板２２を有し、側板２１を介して座板２２の両側部に取り付けられ、取っ手３に取り付けられる器具本体２とを有する。従って、利用者は、子供と一緒に楽しくトレーニングすることができる。
＜変形例＞
【００２３】
なお、図１では、子供の脚が座板内に収納される形状をなしているが、それに限らず、幼児用のブランコのように、股の部分が支持され、脚が座板の外部に露出するようになっていてもよい。
図４は、トレーニング器具の変形例を説明する図である。
【００２４】
図４に示すトレーニング器具１ａは、子供の脚を座板２３の外部に出せるようになっている。子供の脚を座板２３の外部に出したときに、おなか部分を支持する支持部２３ａが設けられている。すなわち、座板２３と支持部２３ａにより囲まれた部分が子供の足を出せる開口部２３ｂを形成している。
子供がある程度大きく、子供の脚が図１の座板２２内に収納しきれなくなった場合は、このような形状にすることによってトレーニングをすることができる。
【００２５】
また、端部２１ａが取っ手３を支点として、回動可能に取り付けられている場合、子供は足で漕ぐような動作をすることにより、自力で器具本体２をブランコのように揺り動かすことができる。
【００２６】
以上、本発明のトレーニング器具を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【符号の説明】
【００２７】
１、１ａ  トレーニング器具
２  器具本体
２１  側板
２１ａ  端部
２１ｂ  開口部
２２、２３  座板
２２ａ  背もたれ
２２ｂ  縁
２３ａ  支持部
２３ｂ  開口部
３  取っ手
３１  滑り止め
【図１】
2019150215.tif 000003
【図２】
2019150215.tif 000004
【図３】
2019150215.tif 000005
【図４】
2019150215.tif 000006